(57)【特許請求の範囲】
【請求項１】
上面が開放した有底の角形箱状となる底窯部材と、この底窯部材の上に連通状となるよう載置する角形筒状の中間窯部材と、この中間窯部材と同様の角形の筒状に形成され、該中間窯部材の上に連通状となるよう載置する上窯部材と、上窯部材の上面を閉鎖するための蓋部材と、上記底窯部材と中間窯部材の積み重ね部分の間及び中間窯部材と上窯部材の積み重ね部分の間に配置する焼き物載置部材とからなり、これらの構成部材を、それぞれ耐火性の材料を用いて形成し、前記底窯部材と中間窯部材の側壁に開閉自在となる燃料投入口を設け、かつ、底窯部材と中間窯部材及び上窯部材の側壁に閉鎖可能な空気孔を設けた焼き物用の簡易窯。
【発明の詳細な説明】
【０００１】
【発明の属する技術分野】
この発明は、陶磁器や土器等の焼成に用いる焼き物用の簡易窯に関する。
【０００２】
【従来の技術】
近年、趣味と実用を兼ねて陶芸がさかんになっているが、陶芸においては成形した土器を焼成するための窯が必要になり、商業的や芸術的な陶磁器の生産には大型の窯が用いられているが、個人が楽しむ陶芸では、小型の簡易窯を使用するのが一般的である。
【０００３】
従来の小型簡易窯は、耐火性の材料を用いて容器状の窯を形成し、ガスや灯油を燃料とするバーナーを窯の下部にセットし、バーナーの点火による燃焼で土器を収納した窯内を加熱させることにより、土器を焼成するようになっている。
【０００４】
【発明が解決しようとする課題】
ところで、上記従来の簡易窯は、容量が固定的で収納できる土器の収納量に制限があるだけでなく、燃料にガスや灯油を使用しているため、コスト的に高くつき、取扱いも不便であるという問題がある。
【０００５】
そこで、この発明の課題は、容量を収納せんとする土器の量に合わせて自由に増減できると共に、燃料に炭や木材を使用することができ、コスト的に安く取扱いが容易で種々の焼成条件を設定できる焼き物用の登り窯風簡易窯を提供することにある。
【０００６】
【課題を解決するための手段】
上記のような課題を解決するため、この発明は、上面が開放した有底の角形箱状となる底窯部材と、この底窯部材の上に連通状となるよう載置する角形筒状の中間窯部材と、この中間窯部材と同様の角形の筒状に形成され、該中間窯部材の上に連通状となるよう載置する上窯部材と、上窯部材の上面を閉鎖するための蓋部材と、上記底窯部材と中間窯部材の積み重ね部分の間及び中間窯部材と上窯部材の積み重ね部分の間に配置する焼き物載置部材とからなり、これらの構成部材を、それぞれ耐火性の材料を用いて形成し、前記底窯部材と中間窯部材の側壁に開閉自在となる燃料投入口を設け、かつ、底窯部材と中間窯部材及び上窯部材の側壁に閉鎖可能な空気孔を設けた構成を採用したものである。
【０００７】
【発明の実施の形態】
以下、この発明の実施の形態を図示例と共に説明する。
【０００８】
図示のように、簡易窯１は、上面が開放した有底の容器状となる底窯部材２と、この底窯部材２の上に載置する筒状の中間窯部材３と、該中間窯部材３の上に載置する上窯部材４と、上窯部材４の上面を閉鎖するための蓋部材４ａと、上記底窯部材２と中間窯部材３の積み重ね部分の間及び中間窯部材３と上窯部材４の積み重ね部分の間に配置する焼き物載置部材５とからなり、底窯部材２と中間窯部材３、上窯部材４及び蓋部材５は、耐火性の材料、例えばアルミナ．シリカ質のセラミックを使用し、外面に熱が伝わらない程度の厚さに形成されている。
【０００９】
上記底窯部材２は  上面が開放した角形の箱状で、その内部が燃焼室６となり、側壁の一部に開閉自在となる燃料投入口７と、下部寄りの位置に閉鎖可能な空気孔８とが設けられている。
【００１０】
また、中間窯部材３は、底窯部材２の側壁上に載り、内部が燃焼室６と連通する角形の筒状に形成され、この中間窯部材３の側壁の一部に開閉自在となる燃料投入口７と、下部寄りと上部の位置に閉鎖可能な空気孔９、１０とが設けられている。
【００１１】
前記上窯部材４は、中間窯部材３と同様の角形の筒状に形成され、中間窯部材３の側壁上に連通状となるよう載置するものであり、側壁の下部寄りと上部の位置に閉鎖可能な空気孔９、１０が設けられている。
【００１２】
蓋部材４ａは、上窯部材４の上面開口を閉鎖する平面角形の板状に形成され、その中央部の位置に上下に貫通する空気孔１１が設けられ、この空気孔１１が耐火性の栓部材１２で開閉できるようになっている。
【００１３】
焼き物載置部材５は、耐火性の材料を用いて長方形の薄い板状に形成され、長さは底窯部材２や中間窯部材３の対向する側壁間に載る程度で、幅は燃焼室６の幅よりも若干狭くなり、底窯部材２や中間窯部材３の対向する側壁間に載せた状態で、図２のように、その両側と底窯部材２や中間窯部材３の内面との間に燃焼空気の上昇隙間を形成するようになっている。
【００１４】
底窯部材２と中間窯部材３、中間窯部材３と上窯部材４の各重なり面は、焼き物載置部材５の端部が納まるようになっていると共に、中間窯部材３は複数個を用意し、収納せんとする土器の量に合わせて、積み重ね数を自由に増減できるようになっている。
【００１５】
上記底窯部材２と中間窯部材３に設けた開閉自在となる燃料投入口７は、両側が垂直で下面が内側下がりに傾斜し、上面が下面と側壁の外面とのコーナ部分を中心とする円弧状となる形状となり、この燃料投入口７に丁度納まって開閉動する開閉蓋１３は、く字状板１４の両側に、燃料投入口７の上面の円弧状に適合する扇形板１５を設けた容器状に形成され、燃料投入口７に納まる状態で、扇形板１５の基部が底窯部材２又は中間窯部材３に軸１６で枢止され、軸１６を中心に回動可能になっている。
【００１６】
上記開閉蓋１３は、く字状板１４の内側部分が燃料投入口７の下面に重なるとき、この開閉蓋１３は燃料投入口７内に収まり、く字状板１４の外側に位置する垂直に立ち上がる部分が燃料投入口７の外面開口部分を閉鎖する。この状態から把手１７で開閉蓋１３を外側に回動させると、該開閉蓋１３は開放面が上向きとなってその一部が底窯部材２又は中間窯部材３の外面に突出し、開閉蓋１３の内部に燃料を投入した状態で、上記した閉鎖位置に戻すと、底窯部材２又は中間窯部材３の内部に燃料を供給することができる。
【００１７】
なお、開閉蓋１３の開放位置は燃料投入口７の上面に設けたストッパー１８で保持されると共に、中間窯部材３の内部に対して供給した燃料は、焼き物載置部材５の上に載り、窯内上部の燃焼を補助する追い炊きを行うことになる。
【００１８】
また、各空気孔８、９、１０は、側壁を内外に貫通する角孔や丸孔に形成され、予め用意した耐火性の詰め物部材１９を詰めることにより閉鎖するようになっている。
【００１９】
この発明の簡易窯は、上記のような構成であり、陶芸において、成形した土器を焼成するには、底窯部材２を設置してその上に必要な個数の中間窯部材３と上窯部材４を順次積み重ねると共に、この重ね作業時に底窯部材２と中間窯部材３の間、中間窯部材３間、中間窯部材３と上窯部材４の間の各々に焼き物載置部材５を配置して簡易窯１を組み立て、かつ、図３に示すように、各焼き物載置部材５上に成形した土器Ａを載置しておき、この後、各空気孔８、９、１０を詰め物部材１９によって閉鎖し、かつ、上窯部材４の上面を蓋部材４ａで閉鎖しておく。なお、土器Ａは釉薬を塗布したものや素焼き用のものでもよい。
【００２０】
図３の状態で、底窯部材２の開閉蓋１３を開放位置にして燃料投入口７を開き、予め着火した炭や木材等の燃料を開閉蓋１３に入れ、この開閉蓋１３を閉鎖位置に戻すことにより燃料を底窯部材２の内部燃焼室６に投入し、燃料の燃焼で簡易窯１の内部を高温に加熱する。
【００２１】
上記底窯部材２の内部での燃料の燃焼時に、適当な位置の空気孔８、９、１０は詰め物部材１９を抜き取り、燃焼空気の供給を行うと共に、必要ならば中間窯部材３の燃料投入口７を開き、底窯部材２の時と同様にして焼き物載置部材５の上に着火した燃料を供給し、追い炊きをする。
【００２２】
上記のように、簡易窯１内は底窯部材２の内部での燃料の燃焼によって高温となり、燃焼空気は簡易窯１内を上昇し、各焼き物載置部材５上に載置した土器Ａを焼成することになり、必要ならば底窯部材２の内部燃焼室６に対する燃料の補充を行い、かつ、各空気孔８、９、１０の開閉を調節しながら所定時間だけ焼成すればよく、焼成が完了すれば簡易窯１を組み立て時と逆の手順で解体し、焼成した焼き物を取り出せばよい。
【００２３】
また、簡易窯１内での焼成は、下部が高温で燃焼空気が上昇する上り窯の状態となり、上部に位置する土器は乾燥し、下部の土器は本焼きとなるので、所定時間の本焼き完了後は、中間窯部材３及び上窯部材４を一時的に分離して上部の土器を下部に位置変えするようにすれば、乾燥から本焼きを行うことができる。
【００２４】
【発明の効果】
以上のように、この発明によると、上面が開放した有底の底窯部材と、この底窯部材の上に載置する筒状の中間窯部材と、該中間窯部材の上に載置する上窯部材と、上窯部材の上面を閉鎖するための蓋部材と、上記底窯部材と中間窯部材の積み重ね部分の間及び中間窯部材と上窯部材の積み重ね部分の間に配置する焼き物載置部材とからなり、これらの構成部材を、それぞれ耐火性の材料を用いて形成し、前記底窯部材と中間窯部材の側壁に開閉自在となる燃料投入口を設け、かつ、底窯部材と中間窯部材及び上窯部材の側壁に閉鎖可能な空気孔を設けたので、中間窯部材の積み重ね個数を選択することにより、容量を収納せんとする土器の量に合わせて自由に増減できると共に、底窯部材内に供給する燃料に炭や木材を使用することができ、コスト的に安く取扱いが容易で種々の焼成条件を設定できる。
【００２５】
また、中間窯部材の積み重ねにより上り窯風となり、土器の乾燥から本焼きまで連続して行えると共に、燃料に炭や木材を使用することにより、個人で手軽に陶芸を楽しむことができる。
【図面の簡単な説明】
【図１】簡易窯の縦断正面図
【図２】簡易窯の横断平面図
【図３】簡易窯を用いた焼成状態の縦断面図
【符号の説明】
１  簡易窯
２  底窯部材
３  中間窯部材
４  上窯部材
４ａ  蓋部材
５  焼き物載置部材
６  燃焼室
７  燃料投入口
８  空気孔
９  空気孔
１０  空気孔
１１  空気孔
１２  栓
１３  開閉蓋
【図１】
0004176215.tif 000002
【図２】
0004176215.tif 000003
【図３】
0004176215.tif 000004